(57)【要約】【課題】  通気性がよく施工手間の少ない２段式の水切り材を提供する。【解決手段】  建物に設置される水切り材（Ｊ，Ｌ）は、上部水切り材（Ｊａ，Ｌａ）と、該上部水切り材の下方に位置する下部水切り材（Ｊｂ，Ｌｂ）とを備える。下部水切り材（Ｊｂ，Ｌｂ）は、上部水切り材（Ｊａ，Ｌａ）とは別部材で構成されている。上部水切り材（Ｊａ，Ｌａ）及び下部水切り材（Ｊｂ，Ｌｂ）それぞれに通気孔（Ｊａ４ａ，Ｊｂ５ａ）が形成されている。【選択図】  図３
2006070447.tif 000002
【特許請求の範囲】
【請求項１】
建物の布基礎の上方に設置される水切り材であって、
上部水切り材と、該上部水切り材の下方に位置する下部水切り材とを備え、
前記上部水切り材は、
屈曲した板材で構成され、前記建物の縦胴縁に沿って配置される第１当接面部と、該第１当接面部から前記建物の室外側へ鈍角に屈曲した先に形成された第１延出面部と、該第１延出面部の室外側から下方へ屈曲した先に形成された第１見付け面部と、該第１見付け面部から室内側へ屈曲した先に形成された第２延出面部と、該第２延出面部の室内側に形成され前記建物の縦胴縁に沿って配置される第２当接面部と、を備え、
前記下部水切り材は、
屈曲した板材で構成され、前記建物の縦胴縁に沿って配置される第３当接面部と、該第３当接面部から前記建物の室外側へ鈍角に屈曲した先に形成された第３延出面部と、該第３延出面部の室外側から下方へ屈曲した先に形成された第２見付け面部と、該第２見付け面部から室内側へ屈曲した先に形成された第４延出面部と、を備え、
前記下部水切り材は前記上部水切り材とは別部材で構成され、
前記第２延出面部及び前記第４延出面部それぞれに通気孔が形成されたことを特徴とする水切り材。
【請求項２】
前記上部水切り材及び前記下部水切り材に前記上部水切り材と前記下部水切り材を接合するための接合部が形成されていることを特徴とする請求項１に記載の水切り材。
【請求項３】
前記接合部は、前記第２当接面部に形成された第１の係合部と、前記下部水切り材に形成され前記第１の係合部に係合する第２の係合部と、を備えて構成されていることを特徴とする請求項２に記載の水切り材。
【請求項４】
前記接合部は、前記第２当接面部に形成された当接突条と、前記第３当接面部に形成され前記当接突条の上方に位置する押え突条と、を備えて構成されていることを特徴とする請求項２又は請求項３に記載の水切り材。
【請求項５】
前記第３当接面部に前記下部水切り材を固定するための固定穴が形成され、
前記第２当接面部に前記固定穴を前記建物の室外側から覆うための固定穴被覆部を備えたことを特徴とする請求項１乃至請求項４のうちいずれか１つに記載の水切り材。
【請求項６】
請求項１に記載の水切り材を布基礎の上方に設置する水切り材の施工方法であって、
前記布基礎の上方に設置された縦胴縁に前記下部水切り材を固定する工程と、
前記上部水切り材を前記下部水切り材と接合する工程と、からなることを特徴とする水切り材の施工方法。
【請求項７】
前記上部水切り材を前記下部水切り材と接合する工程では、前記上部水切り材に形成された第１の係合部を前記下部水切り材に形成された第２の係合部に係合させることを特徴とする請求項６に記載の水切り材の施工方法。
【請求項８】
前記上部水切り材を前記下部水切り材と接合する工程では、前記第２当接面部に形成された当接突条を、前記第３当接面部に形成された押え突条の下方に位置させることを特徴とする請求項７に記載の水切り材の施工方法。
【請求項９】
前記上部水切り材を前記下部水切り材と接合する工程では、前記下部水切り材を固定するために前記第３当接面部に形成された固定穴を、前記第２当接面部に形成された固定穴被覆部で覆うことを特徴とする請求項６乃至請求項８のうちいずれか１つに記載の水切り材の施工方法。
【請求項１０】
前記上部水切り材を前記下部水切り材と接合する工程の前に、第１当接面部から前記第１見付け面部に至るいずれかの部分で前記上部水切り材の一部を切断し、
前記上部水切り材を前記下部水切り材と接合する工程では、切断した上部水切り材のうち前記第２延出面部を含む部分を前記下部水切り材と接合することを特徴とする請求項６乃至請求項９のうちいずれか１つに記載の水切り材の施工方法。
【発明の詳細な説明】
【技術分野】
【０００１】
本発明は、建物の土台に用いる水切り材および水切り材の施工方法に係り、特に床下や壁内の通気のための機能を備えた水切り材および水切り材の施工方法に関する。
【背景技術】
【０００２】
従来から、建物の土台に用いる水切り材として、床下や壁内の通気のための機能を備えた水切り材が知られている。このような水切り材としては、様々な形状ものが提案されている。例えば、通気孔を設けた水切り材が知られている（例えば、特許文献１，２）。このように水切り材に通気孔を設けることで、床下や壁内の通気を可能にしている。
【０００３】
ところで、一般的に良く知られている水切り材は、雨水を建物の室外側へ導くために突出する部分が一条だけ形成されたタイプ、すなわち１段式のタイプの水切り材であった。このため、外部から見ると、突出する部分のボリュームがなく、貧弱な印象を与えるという問題があった。
【０００４】
また、建物には水切り材の上方にサッシが配置されることがあるが、建物のデザインは様々であり、使用されるサッシの種類によっては、サッシと水切りとの間の間隔も異なってくる。従来の１段式の水切り材では、サッシと水切り材との間に広い間隔ができる場合には、建物の外観を良くするため等の理由で、サッシと水切り材との間に適当な幅に加工した外装材を設置しなければならず面倒であった。
【０００５】
そこで、雨水を建物の室外側へ導くために突出する部分を上下方向に２条形成した水切り材、すなわち２段式の水切り材が提案されている（例えば、特許文献３）。このように、水切り材が２段に形成されていることで、水切り材にボリュームを持たせることができ、水切り材の上方にサッシ等が設けられ、サッシ等と水切り材との間に広い間隔ができる場合でも、サッシ等と水切り材との間に外装材を設置する必要もなく、デザイン面でも優れた水切り材を提供することができた。
【０００６】
【特許文献１】特開２００３−１１９９１２号公報（第２−３頁、図１−図４）
【特許文献２】特開２００２−６１３０６号公報（第３頁、図１、図２）
【特許文献３】特開２００４−２７８２８号公報（第７−８頁、図１４、図１５）
【発明の開示】
【発明が解決しようとする課題】
【０００７】
一方で、使用されるサッシの種類によっては、サッシと水切り材との間の間隔が狭い場合もある。このような場合に、上記特許文献３の技術のような２段式の水切り材を用いる場合には、サッシと水切り材がぶつかり合うことを避けるために、サッシの下方に位置する部分で、水切り材の上部を切り取る等の加工を施す必要があった。
【０００８】
特に、特許文献３の技術のような２段式の水切り材の場合、デザイン面では優れているが、２段であるがために形状が複雑であり、水切り材の上段部だけを切り取る等の加工は、熟練を要し、建設現場での加工を容易に行うことができなかった。
【０００９】
上記問題に鑑みて、本発明の目的は、サッシの形状や建物のデザインによって変化するサッシと水切り材との間隔に対応して、建築現場で簡単に加工することができる、通気性がよく施工手間の少ない２段式の水切り材および水切り材の施工方法を提供することにある。
【課題を解決するための手段】
【００１０】
上記課題を解決するために請求項１に記載の水切り材は、建物の布基礎の上方に設置される水切り材（Ｊ，Ｌ）であって、上部水切り材（Ｊａ，Ｌａ）と、該上部水切り材の下方に位置する下部水切り材（Ｊｂ，Ｌｂ）とを備え、前記上部水切り材（Ｊａ，Ｌａ）は、屈曲した板材で構成され、前記建物の縦胴縁に沿って配置される第１当接面部（Ｊａ１，Ｌａ１）と、該第１当接面部（Ｊａ１，Ｌａ１）から前記建物の室外側へ鈍角に屈曲した先に形成された第１延出面部（Ｊａ２，Ｌａ２）と、該第１延出面部（Ｊａ２，Ｌａ２）の室外側から下方へ屈曲した先に形成された第１見付け面部（Ｊａ３，Ｌａ３）と、該第１見付け面部（Ｊａ３，Ｌａ３）から室内側へ屈曲した先に形成された第２延出面部（Ｊａ４，Ｌａ４）と、該第２延出面部（Ｊａ４，Ｌａ４）の室内側に形成され前記建物の縦胴縁に沿って配置される第２当接面部（Ｊａ５，Ｌａ５）と、を備え、前記下部水切り材（Ｊｂ，Ｌｂ）は、屈曲した板材で構成され、前記建物の縦胴縁に沿って配置される第３当接面部（Ｊｂ１，Ｌｂ１）と、該第３当接面部（Ｊｂ１，Ｌｂ１）から前記建物の室外側へ鈍角に屈曲した先に形成された第３延出面部（Ｊｂ２，Ｌｂ２）と、該第３延出面部（Ｊｂ２，Ｌｂ２）の室外側から下方へ屈曲した先に形成された第２見付け面部（Ｊｂ３，Ｌｂ３）と、該第２見付け面部（Ｊｂ３，Ｌｂ３）から室内側へ屈曲した先に形成された第４延出面部（Ｊｂ４５，Ｌａ４５）と、を備え、前記下部水切り材は前記上部水切り材とは別部材で構成され、前記第２延出面部（Ｊａ４，Ｌａ４）及び前記第４延出面部（Ｊｂ４５，Ｌａ４５）それぞれに通気孔（Ｊａ４ａ，Ｊｂ５ａ）が形成されたことを特徴とする。
【００１１】
このように、上部水切り材と下部水切り材とが別部材で構成されているため、状況に応じて、上部水切り材又は下部水切り材を用いないという使い方が可能となる。しかも、上部水切り材及び下部水切り材それぞれに通気孔が形成されているため、上部水切り材又は下部水切り材のどちらか一方を用いない箇所が建物の一部に生じる場合でも、他方に設けられた通気孔によって床下や壁内の通気を充分に行うことが可能であるため、通気が大きく妨げられることはない。さらに、水切り材を切断する等の加工の必要が生じた場合でも、上部水切り材と下部水切り材を分離した状態で取り扱うことができるため、加工が容易である。
【００１２】
また、請求項２に記載の水切り材のように、請求項１に記載の水切り材において、前記上部水切り材及び前記下部水切り材に前記上部水切り材と前記下部水切り材を接合するための接合部（係合突条Ｌａ５ｂ，Ｌｂ２ａ、当接突条Ｌａ５ｃ、押え突条Ｌｂ１ｂ）が形成されていると好適である。
【００１３】
このように、上部水切り材及び下部水切り材に接合部が形成されていることで、上部水切り材と下部水切り材を接合するための部材を別途必要とすることなく、上部水切り材と下部水切り材の接合を容易に行うことができ、上部水切り材及び下部水切り材から構成される２段式の水切り材の設置が簡便となる。
【００１４】
また、請求項３に記載の水切り材のように、請求項２に記載の水切り材において、前記接合部は、前記第２当接面部（Ｌａ５）に形成された第１の係合部（係合突条Ｌａ５ｂ）と、前記下部水切り材に形成され前記第１の係合部に係合する第２の係合部（係合突条Ｌｂ２ａ）と、を備えて構成されていると好適である。
【００１５】
この構成により、第１の係合部と第２の係合部を係合させることで、上部水切り材と下部水切り材の接合を容易に行うことができ、上部水切り材と下部水切り材が接合された２段式の水切り材の設置が簡便となる。
【００１６】
また、請求項４に記載の水切り材のように、請求項２又は請求項３に記載の水切り材において、前記接合部は、前記第２当接面部（Ｌａ５）に形成された当接突条（Ｌａ５ｃ）と、前記第３当接面部（Ｌｂ１）に形成され前記当接突条の上方に位置する押え突条（Ｌｂ１ｂ）と、を備えて構成されていると好適である。
【００１７】
このように、当接突条の上方に押え突条が位置することで、上部水切り材と下部水切り材の接合が解かれにくくなる。
【００１８】
また、請求項５に記載の水切り材のように、請求項１乃至請求項４のうちいずれか１つに記載の水切り材において、前記第３当接面部（Ｊｂ１，Ｌｂ１）に前記下部水切り材を固定するための固定穴（釘穴Ｌｂ１ａ）が形成され、前記第２当接面部（Ｊａ５，Ｌａ５）に前記固定穴を前記建物の室外側から覆うための固定穴被覆部（Ｌａ５ａ）を備えていると好適である。
このように、固定穴被覆部を備えることで建物の外観が良くなる。
【００１９】
上記課題を解決するために請求項６に記載の水切り材の施工方法は、請求項１に記載の水切り材を布基礎の上方に設置する水切り材の施工方法であって、前記布基礎の上方に設置された縦胴縁に前記下部水切り材を固定する工程と、前記上部水切り材を前記下部水切り材と接合する工程と、からなることを特徴とする。
【００２０】
このように、請求項６に記載の水切り材の施工方法によれば、上部水切り材と下部水切り材とを接合して、上部水切り材及び下部水切り材から構成される２段式の水切り材を布基礎の上方に設置することが可能となる。
【００２１】
また、請求項７に記載の水切り材の施工方法のように、請求項６に記載の水切り材の施工方法において、前記上部水切り材を前記下部水切り材と接合する工程では、前記上部水切り材に形成された第１の係合部（係合突条Ｌａ５ｂ）を前記下部水切り材に形成された第２の係合部（係合突条Ｌｂ２ａ）に係合させると好適である。
【００２２】
このように、上部水切り材に形成された第１の係合部を下部水切り材に形成された第２の係合部に係合させることで、上部水切り材と下部水切り材を接合するための部材を別途必要とすることなく、上部水切り材と下部水切り材の接合を容易に行うことができ、上部水切り材及び下部水切り材から構成される２段式の水切り材の設置が簡便となる。
【００２３】
また、請求項８に記載の水切り材の施工方法のように、請求項７に記載の水切り材の施工方法において、前記上部水切り材を前記下部水切り材と接合する工程では、前記第２当接面部（Ｌａ５）に形成された当接突条（Ｌａ５ｃ）を、前記第３当接面部（Ｌｂ１）に形成された押え突条（Ｌｂ１ｂ）の下方に位置させると好適である。
【００２４】
このように、第２当接面部に形成された当接突条を、前記第３当接面部に形成された押え突条の下方に位置させることで、当接突条の上方に押え突条が位置し、上部水切り材と下部水切り材の接合が解かれにくくなる。
【００２５】
また、請求項９に記載の水切り材の施工方法のように、請求項６乃至請求項８のうちいずれか１つに記載の水切り材の施工方法において、前記上部水切り材を前記下部水切り材と接合する工程では、前記下部水切り材を固定するために前記第３当接面部（Ｊｂ１，Ｌｂ１）に形成された固定穴（釘穴Ｌｂ１ａ）を、前記第２当接面部（Ｊａ５，Ｌａ５）に形成された固定穴被覆部（Ｌａ５ａ）で覆うと好適である。
【００２６】
このように、固定穴を固定穴被覆部で覆うことで、建物の外観が良くなるように水切り材を設置することが可能となる。
【００２７】
また、請求項１０に記載の水切り材の施工方法のように、請求項６乃至請求項９のうちいずれか１つに記載の水切り材の施工方法において、前記上部水切り材を前記下部水切り材と接合する工程の前に、第１当接面部（Ｊａ１，Ｌａ１）から前記第１見付け面部（Ｊａ３，Ｌａ３）に至るいずれかの部分で前記上部水切り材の一部を切断し、前記上部水切り材を前記下部水切り材と接合する工程では、切断した上部水切り材のうち前記第２延出面部（Ｊａ４，Ｌａ４）を含む部分を前記下部水切り材と接合すると好適である。
【００２８】
このように、第１当接面部から第１見付け面部に至るいずれかの部分で上部水切り材の一部を切断し、上部水切り材を下部水切り材と接合する工程では、切断した上部水切り材のうち第２延出面部及び第２当接面部を含む部分を下部水切り材と接合することで、水切り材の上方にサッシ等の構造物が位置する場合でも、サッシ等と水切り材との間隔に合わせて、水切り材の設置を容易に行うことが可能となる。
【発明の効果】
【００２９】
以上のように、本発明の水切り材によれば、水切り材の上方にサッシ等が設けられる場合でも、上部水切り材と下部水切り材とが別部材で構成されているため、水切り材とサッシ等の間隔に応じて、上部水切り材又は下部水切り材を用いないという使い方が可能となる。しかも、上部水切り材及び下部水切り材それぞれに通気孔が形成されているため、上部水切り材又は下部水切り材のどちらか一方を用いない箇所が建物の一部に生じる場合でも、換気面積が確保されれば、他方に設けられた通気孔によって床下や壁内の通気を充分に行うことができるため、通気が大きく妨げられることはない。さらに、上部水切り材と下部水切り材とが一体的ではなく、別部材で構成されているため、水切り材を切断する等の加工の必要が生じた場合でも、上部水切り材と下部水切り材を分離した状態で加工できるため、建築現場での加工が容易である。
【００３０】
また、本発明の水切り材の施工方法によれば、上部水切り材と下部水切り材とを接合して、上部水切り材及び下部水切り材から構成される２段式の水切り材を布基礎の上方に設置することが可能となる。
【発明を実施するための最良の形態】
【００３１】
以下、本発明の実施形態を図面に基づいて説明する。なお、以下に説明する部材，配置等は本発明を限定するものでなく、本発明の趣旨の範囲内で種々改変することができるものである。
【００３２】
（第一実施形態）
図１乃至図８は、本発明に係る第一実施形態を示すもので、図１は水切り材を建物に設置したときの斜視図、図２は水切り材を建物に設置したときの断面図、図３は水切り材の斜視図、図４乃至図８は水切り材の上方にサッシが設けられる場合の水切り材の使用例を示す説明図である。
【００３３】
図１及び図２に示すように、本実施形態において、建物の床下の換気構造は、布基礎Ａと、土台パッキンＢと、土台Ｃと、床材Ｄと、室内壁Ｅと、断熱材枠体Ｆと、断熱材Ｇと、透湿防水シートＨと、縦胴縁Ｉと、水切り材Ｊと、外壁面材Ｋと、を主要構成要素としている。
【００３４】
鉄筋コンクリート製の布基礎Ａの上面Ａ１には、土台パッキンＢ（図２参照）が設置されている。土台パッキンＢは、厚みをもった矩形体の部材で構成され、合成樹脂によって形成されている。土台パッキンＢは、布基礎Ａの長手方向に、所定の間隔をおいて複数設置されている。土台Ｃは、土台パッキンＢの上面Ｂ１に、布基礎Ａの長手方向にそって設置された長尺の部材から構成される。床材Ｄは、土台の上面に設置されている。室内壁Ｅは、土台Ｃ及び床材Ｄの側面に当接するように設置される。室内壁Ｅは、土台Ｃに対して釘留めされること等によって固定されている。
【００３５】
断熱材枠体Ｆは、矩形の枠から形成され、室内壁Ｅの室外側の面に当接するように設置されている。断熱材枠体Ｆは、室内壁Ｅに対して釘留めされること等によって固定されている。透湿防水シートＨは、室内の湿度などを良好にたもつためのシート状の部材であり、断熱材枠体Ｆの室外側の側面にテープ又は接着剤で固定されることで、断熱材枠体Ｆを室外側から覆うように設置されている。
【００３６】
断熱材Ｇは、室内壁Ｅと透湿防水シートＨに挟まれ、矩形の断熱材枠体Ｆに囲まれて設置されている。縦胴縁Ｉは、細長い板材から形成され、透湿防水シートＨの室外側に、縦胴縁Ｉの長手方向を縦にして、布基礎Ａの長手方向に沿って所定間隔をあけて複数本設置されている。縦胴縁Ｉは、断熱材枠体Ｆに対して釘留めされること等によって固定されている。外壁面材Ｋは、板状の部材から形成され、外壁面材Ｋを固定するための専用の金具、又は釘を用いて縦胴縁Ｉに固定される。
【００３７】
図３は、本実施形態の水切り材Ｊを説明する斜視図である。
本実施形態の水切り材Ｊは、厚さ０．３５ｍｍ〜０．５ｍｍ程度の鋼製又はアルミニウム合金製の板材に穴あけ加工、屈曲加工を行うことで形成されたシェル状の部材で構成される。アルミニウム合金の押し出し成型品に穴あけ加工することで形成したものであってもよい。水切り材Ｊの表面には塗装が施されている。
【００３８】
本実施形態の水切り材Ｊは、上部水切り材Ｊａと、下部水切り材Ｊｂとで構成されている。上部水切り材Ｊａと下部水切り材Ｊｂは、一体に形成されたものではなく、分離可能な別部材である。
【００３９】
上部水切り材Ｊａは、第１当接面部Ｊａ１と、第１延出面部Ｊａ２と、第１見付け面部Ｊａ３と、第２延出面部Ｊａ４と、第２当接面部Ｊａ５とを有して構成されている。
【００４０】
第１当接面部Ｊａ１は、縦胴縁Ｉの室外側の側面及び外壁面材Ｋの室内側の側面に当接する面を形成し、縦胴縁Ｉに沿って配置される板状の部分から構成される。第１当接面部Ｊａ１には、上部水切り材Ｊａを縦胴縁Ｉに固定するための釘穴Ｊａ１ａが形成されている。
【００４１】
第１延出面部Ｊａ２は、板材が第１当接面部Ｊａ１の下方から室外側へ鈍角に屈曲した先に形成された板状の部分から構成される。第１延出面部Ｊａ２によって、室内側から室外側へ傾斜した面が形成されている。
【００４２】
第１見付け面部Ｊａ３は、板材が第１延出面部Ｊａ２の室外側から下方へ屈曲した先に形成された板状の部分から構成される。第１見付け面部Ｊａ３によって、室外側を向く面が形成されている。第１見付け面部Ｊａ３によって形成される室外側を向く面は、水切り材Ｊを設置したときに、必ずしも垂直となる面である必要はなく、やや上方を向いていたり、やや下方を向いていたりしてよい。本実施形態では、第１見付け面部Ｊａ３によって形成される室外側を向く面は、水切り材Ｊを設置したときに、やや上方を向くように形成されている（図１，図２参照）。
【００４３】
第２延出面部Ｊａ４は、板材が第１見付け面部Ｊａ３の下方から室内側へ屈曲した先に形成された板状の部分から構成される。第２延出面部Ｊａ４によって、下方を向く面が形成されている。本実施形態では、第２延出面部Ｊａ４によって形成される下方を向く面は、水切り材Ｊを設置したときに、ほぼ水平となるように形成されている（図１，図２参照）。第２延出面部Ｊａ４によって形成される下方を向く面は、必ずしも水平な面である必要はなく、水切り材Ｊを設置したときに、室外側から室内外側へ傾斜していてもよいし、室内側から室外側へ傾斜していてもよい。
【００４４】
第２延出面部Ｊａ４には、上部水切り材Ｊａの室外側と室内側との間で換気を行うための通気孔Ｊａ４ａが複数形成されている。通気孔Ｊａ４ａのサイズは、例えば３ｍｍ×１８ｍｍの長穴が、６ｍｍピッチで形成される。
【００４５】
第２当接面部Ｊａ５は、板材が第２延出面部Ｊａ４の室内側から下方へ屈曲した先に形成され、縦胴縁Ｉに沿って配置される板状の部分から構成される。第２当接面部Ｊａ５によって、下部水切り材Ｊｂの室外側の側面に当接する面を形成している。第２当接面部Ｊａ５には、下部水切り材Ｊｂとの接合のために用いる接合穴Ｊａ５ａが形成されている。接合穴Ｊａ５ａは、木ねじや釘等を通すための穴である。接合穴Ｊａ５ａは、所定の間隔をあけて複数形成されている。本実施形態では、複数本設置された縦胴縁Ｉの間隔と等しい間隔で、接合穴Ｊａ５ａが形成されている。
【００４６】
下部水切り材Ｊｂは、第３当接面部Ｊｂ１と、第３延出面部Ｊｂ２と、第２見付け面部Ｊｂ３と、第４延出面部Ｊｂ４５と、底面部Ｊｂ５とを有して構成されている。
【００４７】
第３当接面部Ｊｂ１は、縦胴縁Ｉの室外側の側面及び上部水切り材Ｊａにおける第２当接面部Ｊａ５の室内側の側面に当接する面を形成し、縦胴縁Ｉに沿って配置される板状の部分から構成される。第３当接面部Ｊｂ１には、下部水切り材Ｊｂを縦胴縁Ｉに固定するための釘穴Ｊｂ１ａが形成されている。釘穴Ｊｂ１ａは、所定の間隔をあけて複数形成されている。本実施形態では、複数本設置された縦胴縁Ｉの間隔と等しい間隔で、釘穴Ｊｂ１ａが形成されている。
【００４８】
さらに、第３当接面部Ｊｂ１には、上部水切り材Ｊａとの接合のための接合穴Ｊｂ１ｂが形成されている。接合穴Ｊｂ１ｂは、木ねじや釘等を通すための穴である。接合穴Ｊｂ１ｂは、所定の間隔をあけて複数形成されている。本実施形態では、複数本設置された縦胴縁Ｉの間隔と等しい間隔で、接合穴Ｊｂ１ｂが形成されている。
【００４９】
第３延出面部Ｊｂ２は、板材が第３当接面部Ｊｂ１の下方からから室外側へ鈍角に屈曲した先に形成された板状の部分から構成される。第３延出面部Ｊｂ２によって、室内側から室外側へ傾斜した面が形成されている。
【００５０】
第２見付け面部Ｊｂ３は、板材が第３延出面部Ｊｂ２の室外側から下方へ屈曲した先に形成された板状の部分から構成される。第２見付け面部Ｊｂ３によって、室外側を向く面が形成されている。本実施形態では、第２見付け面部Ｊｂ３によって形成される室外側を向く面は、水切り材Ｊを設置したときに、ほぼ垂直になるように形成されている（図１，図２参照）。なお、第２見付け面部Ｊｂ３によって形成される室外側を向く面は、必ずしも垂直な面である必要はなく、水切り材Ｊを設置したときに、やや上方を向いていたり、やや下方を向いていたりしてよい。
【００５１】
第４延出面部Ｊｂ４５は、板材が第２見付け面部Ｊｂ３の下方から室内側へ屈曲して形成された板状の部分から構成される。本実施形態では、第４延出面部Ｊｂ４５は、切返し面部Ｊｂ４と底面部Ｊｂ５で構成されている。
【００５２】
切返し面部Ｊｂ４は、板材が第２見付け面部Ｊｂ３の下方から室内側へ鋭角に屈曲して形成された板状の部分から構成される。第２見付け面部Ｊｂ３と切返し面部Ｊｂ４が鋭角の関係に形成され、水切り性を良くしている。すなわち、第２見付け面部Ｊｂ３を伝ってくる雨水等は、切返し面部Ｊｂ４を室内側へ遡ることなく、下方へ落下しやすくなる。
【００５３】
底面部Ｊｂ５は、切返し面部Ｊｂ４が室内側へ延出して形成された板状の部分から構成される。底面部Ｊｂ５によって、下方を向く面が形成されている。本実施形態では、底面部Ｊｂ５によって形成される下方を向く面は、水切り材Ｊを設置したときに、ほぼ水平となるように形成されている（図１，図２参照）。水切り材Ｊを設置したときに、底面部Ｊｂ５の端部近傍が布基礎Ａの上面Ａ１に載置される。
【００５４】
なお、底面部Ｊｂ５によって形成される下方を向く面は、必ずしも水平な面である必要はなく、水切り材Ｊを設置したときに、室外側から室内外側へ傾斜していてもよいし、室内側から室外側へ傾斜していてもよい。すなわち、底面部Ｊｂ５は、切返し面部Ｊｂ４に対して所定の角度で屈曲した先に形成されてもよいし、切返し面部Ｊｂ４がそのままの角度で延出して形成されてもよい。
【００５５】
底面部Ｊｂ５には、下部水切り材Ｊｂの室外側と室内側との間で換気を行うための通気孔Ｊｂ５ａが複数形成されている。通気孔Ｊｂ５ａのサイズは、例えば３ｍｍ×１８ｍｍの長穴が、６ｍｍピッチで形成される。
【００５６】
なお、本実施形態では、第１当接面部Ｊａ１に端部を折り曲げた折り返し部Ｊａ１ｂを形成し、底面部Ｊｂ５に端部を折り曲げた折り返し部Ｊｂ５ｂを形成している。折り返し部Ｊａ１ｂや折り返し部Ｊｂ５ｂを形成することで、水切り材Ｊの剛性を高めている。
【００５７】
次に、水切り材Ｊを設置する手順を説明する。
まず、土台パッキンＢを布基礎Ａの上面Ａ１に設置する。土台パッキンＢの上面Ｂ１に土台Ｃを設置する。室内壁Ｅを、土台Ｃ及び床材Ｄの側面に釘留めする。断熱材枠体Ｆを室内壁Ｅに釘留めする。
【００５８】
続いて、断熱材Ｇを断熱材枠体Ｆに囲われた部分に充填して、透湿防水シートＨで室外側から覆う。さらに、縦胴縁Ｉと断熱材枠体Ｆの間に透湿防水シートＨを挟んだ状態で、縦胴縁Ｉを断熱材枠体Ｆに釘留めする。
【００５９】
続いて、下部水切り材Ｊｂを布基礎Ａの上面Ａ１に載置し、釘穴Ｊｂ１ａに釘を通して、下部水切り材Ｊｂを縦胴縁Ｉに固定する。また、釘穴Ｊａ１ａに釘を通して、上部水切り材Ｊａを縦胴縁Ｉに釘留めすることで固定する。このとき、上部水切り材Ｊａの第２当接面部Ｊａ５と、下部水切り材Ｊｂの第３当接面部Ｊｂ１を重ね合わせて、接合穴Ｊａ５ａと接合穴Ｊｂ１ｂが連通した状態にする。
【００６０】
そして、接合穴Ｊａ５ａと接合穴Ｊｂ１ｂに木ねじや釘等を通して、上部水切り材Ｊａと下部水切り材Ｊｂを接合する。第２延出面部Ｊａ４と第３延出面部Ｊｂ２との間には、第３当接面部Ｊｂ１の接合穴Ｊｂ１ｂに木ねじ等を差し込むための間隔が確保されている。
【００６１】
このようにして、水切り材Ｊを固定した後、上部水切り材Ｊａの第１当接面部Ｊａ１を外壁面材Ｋと縦胴縁Ｉに挟んだ状態で、外壁面材Ｋを縦胴縁Ｉに固定する。
【００６２】
以上の構成によれば、床下や壁内の通気を行うことができる水切り材Ｊを簡単に設置することができる。建物外部の空気は、通気孔Ｊａ４ａや通気孔Ｊｂ５ａを通り、布基礎Ａの上に所定間隔をあけて設置された土台パッキンＢの間の空間Ｂ０を通り抜け、床下の換気が行われる。また、通気孔Ｊａ４ａや通気孔Ｊｂ５ａを通り抜けた建物外部の空気は、所定間隔をあけて設置された縦胴縁Ｉの間の空間Ｉ０を通り抜け、壁内の換気が行われる。
【００６３】
しかも、本実施形態の水切り材Ｊは、接合穴Ｊａ５ａ，Ｊｂ１ｂに木ねじや釘等を通すことで、上部水切り材Ｊａと下部水切り材Ｊｂとを接合する構成であるため、上部水切り材Ｊａと下部水切り材Ｊｂの結合が容易であり２段式の水切り材を容易に設置することができる。さらに、上部水切り材Ｊａと下部水切り材Ｊｂとが別部材で構成されているため、状況に応じて、上部水切り材Ｊａ又は下部水切り材Ｊｂを用いないという使い方が容易に実現する。たとえば、水切りの材Ｊの上方に設置されるサッシ等の他の構造物の下端と、水切り材Ｊとの間隔が狭い状況においては、サッシ等の他の構造物の下方では、上部水切り材Ｊａを用いないという使い方が可能である。
【００６４】
図４，図５は、水切り材の上方にサッシＳが設けられる場合の水切り材Ｊの使用例を示す説明図である。図４，図５に示すように、サッシＳの下端と布基礎Ａとの距離が短く、水切り材ＪとサッシＳとの間隔を確保できない場合には、サッシＳに対応する部分で、上部水切りＪａを用いないようにすればよい。
【００６５】
従来の２段式の水切り材、すなわち上部水切り材Ｊａに相当する部分と下部水切り材Ｊｂに相当する部分が一体となっている一体型の２段式の水切り材では、水切りの材Ｊの上方に設置されるサッシ等の他の構造物の下端と、水切り材Ｊとの間隔を確保できない場合には、水切り材の上方を切り取るなどの加工が必要であり、複雑な形状を有する２段式の水切り材の一部だけを切り取る加工が面倒であった。これに対して、本実施形態では、上部水切り材Ｊａと下部水切り材Ｊｂが別部材で構成されているため、状況に応じて、上部水切り材Ｊａを用いないという使い方が容易に実現する。
【００６６】
そして、本実施形態では、上部水切り材Ｊａには通気孔Ｊａ４ａが、下部水切り材Ｊｂには通気孔Ｊｂ５ａが設けられているため、図４に例示した場合のように、建物の一部で上部水切り材Ｊａと下部水切り材Ｊｂのどちらか一方を用いない箇所があったとしても、換気面積が確保されれば、他方に設けられた通気孔によって床下や壁内の通気を充分に行うことができるため、通気が大きく妨げられることはない。
【００６７】
また、図５の例のように、下部水切り材Ｊｂだけを用いる場合において、第３当接面部Ｊｂ１がサッシＳとぶつかってしまう場合には、下部水切り材Ｊｂを第３当接面部Ｊｂ１で切断して、切断した上部水切り材Ｊｂ’使用する。
【００６８】
すなわち、図５の例では、下部水切り材Ｊｂの第４延出面部Ｊｂ４（布基礎Ａの上端）とサッシＳの下端との間隔に合わせて、第３当接面部Ｊｂ１で下部水きり材Ｊｂを切断する（図５（ａ））。そして、切断した下部水切り材Ｊｂ’を布基礎Ａの上部に設置し、切断した下部水切り材Ｊｂ’とサッシＳとの間に生じる隙間を合成樹脂性のシーリング材で埋める（図５（ｂ））。
【００６９】
このように本実施形態では、上部水切り材Ｊａと下部水切り材Ｊｂとが一体的ではなく、別部材で構成されているため、図５の例に示すように、水切り材Ｊを切断する等の加工の必要が生じた場合でも、上部水切り材Ｊａと下部水切り材Ｊｂを分離した状態で取り扱うことができるため、加工が容易である。
【００７０】
図４，図５の例の他にも、図６乃至図８の例に示すように、建物に使用するサッシのタイプに応じてサッシと水切り材との間隔が変化することがあるが、サッシのタイプに応じて上部水切り材Ｊａ又は下部水切り材Ｊｂの一部を切断加工することで、この変化に対応することができる。しかも、そのような加工をする場合でも、部水切り材Ｊａと下部水切り材Ｊｂとが一体的ではなく別部材で構成されているため、上部水切り材Ｊａと下部水切り材Ｊｂを分離した状態で取り扱うことができるため、建築現場での加工が容易である。
【００７１】
図６の例のように、サッシのタイプによっては、下部水切り材Ｊｂを使用するだけでは下部水切り材ＪｂとサッシＳｘの間隔が広すぎる一方、上部水切り材Ｊａを設置すると第１当接面部Ｊａ１がサッシＳｘとの位置関係上で邪魔になる場合もあるが、この場合には、上部水切り材Ｊａを第１当接面部Ｊａ１で切断して、切断した後の上部水切り材Ｊａｘ（第２延出面部Ｊａ４を含む部分）を使用する。
【００７２】
図６の例では、上部水切り材Ｊａの第２延出面部Ｊａ４（布基礎Ａの上端）とサッシＳｘの下端との間隔に合わせて、第１当接面部Ｊａ１で上部水切り材Ｊａを切断する（図６（ａ））。そして、下部水切り材Ｊｂを縦胴縁Ｉに固定することで布基礎Ａの上部に設置し、下部水切り材Ｊｂと切断した上部水切り材Ｊａｘとを接合し、切断した上部水切り材ＪａｘとサッシＳｘとの間に生じる隙間を合成樹脂性のシーリング材で埋める（図６（ｂ））。
【００７３】
図７の例のように、サッシのタイプによっては、下部水切り材Ｊｂを使用するだけでは下部水切り材ＪｂとサッシＳｙの間隔が広すぎる一方、上部水切り材Ｊａを設置すると第１当接面部Ｊａ１及び第１延出面部Ｊａ２がサッシＳｙとの位置関係上で邪魔になる場合もあるが、この場合には、上部水切り材Ｊａを第１延出面部Ｊａ２から第１見付け面部Ｊａ３へ屈曲する部分で切断して、切断した上部水切り材Ｊａｙ（第２延出面部Ｊａ４を含む部分）を使用する。
【００７４】
図７の例では、上部水切り材Ｊａの第２延出面部Ｊａ４（布基礎Ａの上端）とサッシＳｙの下端との間隔に合わせて、第１延出面部Ｊａ２から第１見付け面部Ｊａ３へ屈曲する部分で上部水切り材Ｊａを切断する（図７（ａ））。そして、下部水切り材Ｊｂを縦胴縁Ｉに固定することで布基礎Ａの上部に設置し、下部水切り材Ｊｂと切断した上部水切り材Ｊａｙとを接合する。切断した上部水切り材ＪａｙとサッシＳｙとの間に生じる隙間を合成樹脂性のシーリング材で埋める（図７（ｂ））。
【００７５】
図８の例のように、サッシのタイプによっては、下部水切り材Ｊｂを使用するだけでは下部水切り材ＪｂとサッシＳｚの間隔が広すぎる一方、上部水切り材Ｊａを設置すると第１当接面部Ｊａ１，第１延出面部Ｊａ２及び第１見付け面部Ｊａ３がサッシＳｚとの位置関係上で邪魔になる場合もあるが、この場合には、上部水切り材Ｊａを第１見付け面部Ｊａ３で切断して、切断した上部水切り材Ｊａｚ（第２延出面部Ｊａ４を含む部分）を使用する。
【００７６】
図８の例では、上部水切り材Ｊａの第２延出面部Ｊａ４（布基礎Ａの上端）とサッシＳｚの下端との間隔に合わせて、第１見付け面部Ｊａ３で上部水切り材Ｊａを切断する（図８（ａ））。そして、下部水切り材Ｊｂを縦胴縁Ｉに固定することで布基礎Ａの上部に設置し、下部水切り材Ｊｂと切断した上部水切り材Ｊａｚとを接合する。切断した上部水切り材ＪａｚとサッシＳｚとの間に生じる隙間を合成樹脂性のシーリング材で埋める（図８（ｂ））。
【００７７】
（第二実施形態）
図９及び図１０は本発明にかかる第二実施形態を示すもので、図９は水切り材の斜視図、図１０は図９に示した水切り材を建物に設置する手順を説明する説明図である。
本実施形態の水切り材Ｌは、上記第一実施形態の水切り材Ｊの代わりに、建物の床下の換気構造の構成要素として用いられるものである。
【００７８】
本実施形態の水切り材Ｌは、厚さ０．３５ｍｍ〜０．５ｍｍ程度の鋼のプレス加工品又はアルミニウム合金の押し出し成型品に、穴あけ加工、屈曲加工することで形成したシェル状の部材であり、表面に塗装が施されている。
【００７９】
本実施形態の水切り材Ｌは、上部水切り材Ｌａと、下部水切り材Ｌｂとで構成されている。上部水切り材Ｌａと下部水切り材Ｌｂは、一体に形成されたものではなく、分離可能な別部材である。
【００８０】
上部水切り材Ｌａは、第１当接面部Ｌａ１と、第１延出面部Ｌａ２と、第１見付け面部Ｌａ３と、第２延出面部Ｌａ４と、第２当接面部Ｌａ５とを有して構成されている。第１当接面部Ｌａ１，第１延出面部Ｌａ２，第１見付け面部Ｌａ３，第２延出面部Ｌａ４の構成は、第一実施形態の第１当接面部Ｊａ１，第１延出面部Ｊａ２，第１見付け面部Ｊａ３，第２延出面部Ｊａ４の構成と同様であるため、説明を省略する。なお、第２延出面部Ｌａ４には、第一実施形態の通気孔Ｊａ４ａと同様の通気孔が形成されている。
【００８１】
第２当接面部Ｌａ５は、第２延出面部Ｌａ４に連続して設けられている。第２当接面部Ｌａ５は、固定穴被覆部Ｌａ５ａと、係合突条Ｌａ５ｂと、当接突条Ｌａ５ｃとを備える。
固定穴被覆部Ｌａ５ａは、第２当接面部Ｌａ５の中心をなす平板状の部分である。第２当接面部Ｌａ５は、固定穴被覆部Ｌａ５ａで第２延出面部Ｌａ４とつながっている。
【００８２】
係合突条Ｌａ５ｂは、本発明の第１の係合部に相当するものであり、固定穴被覆部Ｌａ５ａの下端部に、固定穴被覆部Ｌａ５ａから鉤状に突出して設けられた部分である。係合突条Ｌａ５ｂは、後述の係合突条Ｌｂ２ａと係合する部分である。当接突条Ｌａ５ｃは、固定穴被覆部Ｌａ５ａと、後述する第３当接面部Ｌｂ１との間に空間をつくるために、固定穴被覆部Ｌａ５ａから室内側へ突出して設けられた部分である。
【００８３】
下部水切り材Ｌｂは、第３当接面部Ｌｂ１と、第３延出面部Ｌｂ２と、第２見付け面部Ｌｂ３と、第４延出面部Ｌｂ４５（切返し面部Ｌｂ４，底面部Ｌｂ５）とを有して構成されている。第２見付け面部Ｌｂ３，第４延出面部Ｌｂ４５（切返し面部Ｌｂ４，底面部Ｌｂ５）の構成は、上記実施形態の第２見付け面部Ｊｂ３，第４延出面部Ｊｂ４５（切返し面部Ｊｂ４，底面部Ｊｂ５）の構成と同様であるため、説明を省略する。なお、底面部Ｌｂ５には、第一実施形態の通気孔Ｊｂ５ａと同様の通気孔が形成されている。
【００８４】
第３当接面部Ｌｂ１は、縦胴縁Ｉの室外側の側面及び上部水切り材Ｌａにおける第２当接面部Ｌａ５の室内側の側面に当接する面を形成する部分である。第３当接面部Ｌｂ１には、下部水切り材Ｌｂを縦胴縁Ｉに固定するため固定穴として、釘穴Ｌｂ１ａが形成されている。釘穴Ｌｂ１ａは、所定の間隔をあけて複数形成されている。本実施形態では、複数本設置された縦胴縁Ｉの間隔と等しい間隔で、釘穴Ｌｂ１ａが形成されている。
【００８５】
さらに、第３当接面部Ｌｂ１の上端部には、押え突条Ｌｂ１ｂが形成されている。押え突条Ｌｂ１ｂは、第３当接面部Ｌｂ１の上端部から室外側へ突出するように形成されている。
【００８６】
第３延出面部Ｌｂ２は、板材が第３当接面部Ｌｂ１から室外側へ鈍角に屈曲した先に形成された部分である。第３延出面部Ｌｂ２によって、室内側から室外側へ傾斜した面が形成されている。
【００８７】
第３延出面部Ｌｂ２の第３当接面部Ｌｂ１に近い側には、係合突条Ｌｂ２ａが形成されている。係合突条Ｌｂ２ａは、本発明の第２の係合部に相当するものであり、第３延出面部Ｌｂ２から上方へ突出するように形成されている。係合突条Ｌｂ２ａは、上述の係合突条Ｌａ５ｂと係合する部分である。
【００８８】
なお、本実施形態では、本発明の第１の係合部に相当する係合突条Ｌａ５ｂは、固定穴被覆部Ｌａ５ａから鉤状に突出して形成され、本発明の第２の係合部に相当する係合突条Ｌｂ２ａは、第３延出面部Ｌｂ２の第３当接面部Ｌｂ１に近い側から上方へ突出して形成されているが、本発明の第１の係合部や第２の係合部は、これに限定されるものではない。
【００８９】
たとえば、第１の係合部及び第２の係合部の形状を、お互いに係合し合う鉤状の形状とすることもできる。または、第１の係合部の形状を、固定穴被覆部Ｌａ５ａからそのまま下方へ延出する形状とすることもできる。または、第２の係合部を、第３当接面部Ｌｂ１の下部付近から室外側へ鉤状に突出するように形成することもできる。
【００９０】
次に、水切り材Ｌを設置する手順を図９，図１０を用いて説明する。
縦胴縁Ｉを断熱材枠体Ｆに釘留めするまでの手順は、上記第一実施形態と同様であるため、説明は省略する。
【００９１】
縦胴縁Ｉを断熱材枠体Ｆに釘留めした後、下部水切り材Ｌｂを布基礎Ａの上面Ａ１に載置し、釘穴Ｌｂ１ａに釘を通して、下部水切り材Ｌｂを縦胴縁Ｉに固定する。また、上部水切り材Ｊａを縦胴縁Ｉに釘留めする。このとき、上部水切り材Ｌａの係合突条Ｌａ５ｂを下部水切り材Ｌｂの係合突条Ｌｂ２ａに引っ掛け（図１０（ａ））、上部水切り材Ｌａの当接突条Ｌａ５ｃを下部水切り材Ｌｂの押え突条Ｌｂ１ｂの下に押し込む（図１０（ｂ））。なお、上部水切り材Ｊａと下部水切り材Ｊｂを接合するために形成された、係合突条Ｌａ５ｂ，Ｌｂ２ａ、当接突条Ｌａ５ｃ、押え突条Ｌｂ１ｂは、本発明の接合部に相当する。
【００９２】
このように、本実施形態では、釘やねじ等の上部水切り材Ｌａと下部水切り材Ｌｂを接合するための部材を別途必要とすることなく、上部水切り材Ｌａに形成された係合突条Ｌａ５ｂと下部水切り材Ｌｂに形成された係合突条Ｌｂ２ａとを係合させることで、上部水切り材Ｌａと下部水切り材Ｌｂの接合を容易に行うことができる。したがって、上部水切り材及び下部水切り材が別部材であっても、上部水切り材Ｌａと下部水切り材Ｌｂが接合された２段式の水切り材Ｌの設置が簡便となる。
【００９３】
さらに、当接突条Ｌａ５ｃの上方に押え突条Ｌｂ１ｂが位置することで、上部水切り材Ｌａや下部水切り材Ｌｂに何らかの力が作用して、上部水切り材Ｌａや下部水切り材Ｌｂが撓むような場合でも、第２当接面部Ｌａ５の上方への動きや第３当接面部Ｌｂ１の下方への動きが規制され、上部水切り材Ｌａと下部水切り材Ｌｂの接合が解かれにくくなる。
【００９４】
このとき、上部水切り材Ｌａを構成する板材の弾性力によって、押え突条Ｌｂ１ｂが当接突条Ｌａ５ｃを上方から押さえつけるように、当接突条Ｌａ５ｃと押え突条Ｌｂ１ｂの相対的な形成位置や角度を設計するとよい。このように、押え突条Ｌｂ１ｂが当接突条Ｌａ５ｃを上方から押さえつけるようにすることで、よりしっかりと上部水切り材Ｌａと下部水切り材Ｌｂを接合することができる。
【００９５】
また、本実施形態では、上部水切り材Ｌａと下部水切り材Ｌｂを接合したときに、固定穴被覆部Ｌａ５ａが、第３当接面部Ｌｂ１の釘穴Ｌｂ１ａが形成された部分を建物の室外側から覆う構成となっている。このため、下部水切り材Ｌｂを固定するために釘穴Ｌｂ１ａに通した釘を、室外側に露見しないようにでき、建物の外観が良くなる。
【００９６】
以上のようにして、水切り材Ｌを固定した後、上部水切り材Ｌａの第１当接面部Ｌａ１を外壁面材Ｋと縦胴縁Ｉに挟んだ状態で、外壁面材Ｋを縦胴縁Ｉに固定する。
【００９７】
以上に説明した第二実施形態の水切り材Ｌによっても、上述の第一実施形態の水切り材Ｊと同様の作用・効果を備える。すなわち、床下や壁内の通気を行うことができる水切り材Ｌを簡単に設置することができる。また、上部水切り材Ｌａと下部水切り材Ｌｂとが別部材で構成されているため、状況に応じて、上部水切り材Ｌａを用いないという使い方が容易に実現し、これによって床下や壁内の通気が大きく妨げられることもない。また、上部水切り材Ｌａと下部水切り材Ｌｂとが一体的ではなく、別部材で構成されているため、水切り材Ｌを切断する等の加工の必要が生じた場合でも、上部水切り材Ｌａと下部水切り材Ｌｂを分離した状態で加工できるため、加工が容易である。
【００９８】
以上に説明した、第一実施形態，第二実施形態いずれの場合も、上部水切り材Ｊａ，Ｌａと下部水切り材Ｊｂ，Ｌｂが直接的に接触して接合されていたが、上部水切り材Ｊａ，Ｌａと下部水切り材Ｊｂ，Ｌｂとを連結する機能を備えた連結部材を別に備えて、この連結部材を介して上部水切り材Ｊａ，Ｌａと下部水切り材Ｊｂ，Ｌｂとを連結するようにしてもよい。
【図面の簡単な説明】
【００９９】
【図１】第一実施形態の水切り材を建物に設置したときの斜視図である。
【図２】第一実施形態の水切り材を建物に設置したときの断面図である。
【図３】第一実施形態の水切り材の斜視図である。
【図４】水切り材の上方にサッシが設けられる場合の水切り材の使用例を示す説明図である。
【図５】水切り材の上方にサッシが設けられる場合の水切り材の使用例を示す説明図である。
【図６】水切り材の上方にサッシが設けられる場合の水切り材の使用例を示す説明図である。
【図７】水切り材の上方にサッシが設けられる場合の水切り材の使用例を示す説明図である。
【図８】水切り材の上方にサッシが設けられる場合の水切り材の使用例を示す説明図である。
【図９】第二実施形態の水切り材の斜視図である。
【図１０】図９に示した水切り材を建物に設置する手順を説明する説明図である。
【符号の説明】
【０１００】
Ａ                  布基礎
Ｂ                  土台パッキン
Ｃ                  土台
Ｄ                  床材
Ｅ                  室内壁
Ｆ                  断熱材枠体
Ｇ                  断熱材
Ｈ                  透湿防水シート
Ｉ                  縦胴縁
Ｊ，Ｌ              水切り材
Ｊａ，Ｌａ          上部水切り材
Ｊａ１，Ｌａ１      第１当接面部
Ｊａ１ａ            釘穴
Ｊａ２，Ｌａ２      第１延出面部
Ｊａ３，Ｌａ３      第１見付け面部
Ｊａ４，Ｌａ４      第２延出面部
Ｊａ４ａ            通気孔
Ｊａ５              第２当接面部
Ｊａ５ａ            接合穴
Ｊｂ，Ｌｂ          下部水切り材
Ｊｂ１，Ｌｂ１      第３当接面部
Ｊｂ１ａ            釘穴
Ｊｂ１ｂ            接合穴
Ｊｂ２              第３延出面部
Ｊｂ３，Ｌｂ３      第２見付け面部
Ｊｂ４５，Ｌｂ４５      第４延出面部
Ｊｂ４，Ｌｂ４      切返し面部
Ｊｂ５，Ｌｂ５      底面部
Ｊｂ５ａ            通気孔
Ｋ                  外壁面材
Ｌａ５              第２当接面部
Ｌａ５ａ            固定穴被覆部
Ｌａ５ｂ            係合突条（第１の係合部）
Ｌａ５ｃ            当接突条
Ｌｂ１              第３当接面部
Ｌｂ１ａ            釘穴（固定穴）
Ｌｂ１ｂ            押え突条
Ｌｂ２              第３延出面部
Ｌｂ２ａ            係合突条（第２の係合部）
Ｓ                  サッシ
【図１】
2006070447.tif 000003
【図２】
2006070447.tif 000004
【図３】
2006070447.tif 000005
【図４】
2006070447.tif 000006
【図５】
2006070447.tif 000007
【図６】
2006070447.tif 000008
【図７】
2006070447.tif 000009
【図８】
2006070447.tif 000010
【図９】
2006070447.tif 000011
【図１０】
2006070447.tif 000012
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
建物の基礎の上方に設置される水切り材であって、
上部水切り材と、該上部水切り材の下方に位置する下部水切り材とを備え、
前記上部水切り材と前記下部水切り材とが別部材として形成され、
前記上部水切り材と前記下部水切り材の各々は、建物の縦胴縁に沿って配置される上端部と、該上端部から室外側に突出するように形成された中間部と、該中間部の室内側に設けられた凹部空間を介して建物の通気路に連通される通気孔と、を有して形成されたことを特徴とする水切り材。
【請求項２】
前記上部水切り材は、建物の縦胴縁に沿って配置される第１当接面部と、該第１当接面部から室外側へ鈍角に屈曲した先に形成された第１延出面部と、該第１延出面部の室外側から下方へ屈曲した先に形成された第１見付け面部と、該第１見付け面部から室内側へ屈曲した先に形成された第２延出面部と、該第２延出面部の室内側に形成され建物の縦胴縁に沿って配置される第２当接面部と、を備え、
前記下部水切り材は、建物の縦胴縁に沿って配置される第３当接面部と、該第３当接面部から室外側へ鈍角に屈曲した先に形成された第３延出面部と、該第３延出面部の室外側から下方へ屈曲した先に形成された第２見付け面部と、該第２見付け面部から室内側へ屈曲した先に形成された第４延出面部と、を備え、
前記第２延出面部及び前記第４延出面部のそれぞれに前記通気孔が形成されたことを特徴とする請求項１に記載の水切り材。
【請求項３】
前記第３当接面部に前記下部水切り材を固定するための固定穴が形成され、
前記第２当接面部に前記固定穴を室外側から覆うための固定穴被覆部を備えたことを特徴とする請求項２に記載の水切り材。
【請求項４】
前記上部水切り材及び前記下部水切り材に前記上部水切り材と前記下部水切り材を接合するための接合部が形成されたことを特徴とする請求項１乃至請求項３のいずれか一項に記載の水切り材。
【請求項５】
前記上部水切り材及び前記下部水切り材に前記上部水切り材と前記下部水切り材を接合するための接合部が形成され、該接合部は、前記第２当接面部に形成された第１の係合部と、前記下部水切り材に形成され前記第１の係合部に係合する第２の係合部と、を備えたことを特徴とする請求項２または請求項３に記載の水切り材。
【請求項６】
前記上部水切り材及び前記下部水切り材に前記上部水切り材と前記下部水切り材を接合するための接合部が形成され、該接合部は、前記第２当接面部に形成された当接突条と、前記第３当接面部に形成され前記当接突条の上方に位置する押え突条と、を備えたことを特徴とする請求項２、請求項３、請求項５のいずれか一項に記載の水切り材。
【請求項７】
請求項１乃至請求項６のいずれか一項に記載の水切り材を基礎の上方に設置する水切り材の施工方法であって、
基礎の上方に設置された縦胴縁に前記下部水切り材を固定する工程と、
前記上部水切り材を前記下部水切り材と接合する工程と、を行うことを特徴とする水切り材の施工方法。
【請求項８】
請求項５または請求項６に記載の水切り材を基礎の上方に設置する水切り材の施工方法であって、
基礎の上方に設置された縦胴縁に前記下部水切り材を固定する工程と、
前記上部水切り材を前記下部水切り材と接合する工程と、を行い、
前記上部水切り材を前記下部水切り材と接合する工程では、前記上部水切り材に形成された第１の係合部を前記下部水切り材に形成された第２の係合部に係合させることを特徴とする水切り材の施工方法。
【請求項９】
前記上部水切り材を前記下部水切り材と接合する工程では、前記第２当接面部に形成された当接突条を、前記第３当接面部に形成された押え突条の下方に位置させることを特徴とする請求項８に記載の水切り材の施工方法。
【請求項１０】
前記上部水切り材を前記下部水切り材と接合する工程では、前記下部水切り材を固定するために前記第３当接面部に形成された固定穴を、前記第２当接面部に形成された固定穴被覆部で覆うことを特徴とする請求項７乃至請求項９のうちいずれか１項に記載の水切り材の施工方法。
【請求項１１】
前記上部水切り材を前記下部水切り材と接合する工程の前に、前記第１当接面部から前記第１見付け面部に至るいずれかの部分で前記上部水切り材の一部を切断し、
前記上部水切り材を前記下部水切り材と接合する工程では、切断した上部水切り材のうち前記第２延出面部を含む部分を前記下部水切り材と接合することを特徴とする請求項８乃至請求項１０のうちいずれか１項に記載の水切り材の施工方法。
【手続補正２】
【補正対象書類名】明細書
【補正対象項目名】００１０
【補正方法】変更
【補正の内容】
【００１０】
上記課題は、本発明の水切り材によれば、建物の基礎の上方に取り付けられる水切り材（Ｊ，Ｌ）であって、上部水切り材（Ｊａ，Ｌａ）と、該上部水切り材の下方に位置する下部水切り材（Ｊｂ，Ｌｂ）とを備え、前記上部水切り材（Ｊａ，Ｌａ）と前記下部水切り材（Ｊｂ，Ｌｂ）とが別部材として形成され、前記上部水切り材（Ｊａ，Ｌａ）と前記下部水切り材（Ｊｂ，Ｌｂ）の各々は、建物の縦胴縁に沿って配置される上端部（Ｊａ１，Ｊｂ１，Ｌａ１，Ｌｂ１）と、該上端部から室外側に突出するように形成された中間部（Ｊａ２，Ｊａ３，Ｊａ４と、Ｊｂ２，Ｊｂ３，Ｊｂ４５と、Ｌａ２，Ｌａ３，Ｌａ４と、Ｌｂ２，Ｌｂ３，Ｌｂ４５）と、該中間部の室内側に設けられた凹部空間を介して建物の通気路（Ｉ０）に連通される通気孔（Ｊａ４ａ，Ｊｂ５ａ）と、を有して形成されたことを特徴とする。
【手続補正３】
【補正対象書類名】明細書
【補正対象項目名】００１１
【補正方法】変更
【補正の内容】
【００１１】
また、本発明の水切り材は、より具体的には、前記上部水切り材（Ｊａ，Ｌａ）は、建物の縦胴縁に沿って配置される第１当接面部（Ｊａ１，Ｌａ１）と、該第１当接面部（Ｊａ１，Ｌａ１）から室外側へ鈍角に屈曲した先に形成された第１延出面部（Ｊａ２，Ｌａ２）と、該第１延出面部（Ｊａ２，Ｌａ２）の室外側から下方へ屈曲した先に形成された第１見付け面部（Ｊａ３，Ｌａ３）と、該第１見付け面部（Ｊａ３，Ｌａ３）から室内側へ屈曲した先に形成された第２延出面部（Ｊａ４，Ｌａ４）と、該第２延出面部（Ｊａ４，Ｌａ４）の室内側に形成され建物の縦胴縁に沿って配置される第２当接面部（Ｊａ５，Ｌａ５）と、を備え、前記下部水切り材（Ｊｂ，Ｌｂ）は、建物の縦胴縁に沿って配置される第３当接面部（Ｊｂ１，Ｌｂ１）と、該第３当接面部（Ｊｂ１，Ｌｂ１）から室外側へ鈍角に屈曲した先に形成された第３延出面部（Ｊｂ２，Ｌｂ２）と、該第３延出面部（Ｊｂ２，Ｌｂ２）の室外側から下方へ屈曲した先に形成された第２見付け面部（Ｊｂ３，Ｌｂ３）と、該第２見付け面部（Ｊｂ３，Ｌｂ３）から室内側へ屈曲した先に形成された第４延出面部（Ｊｂ４５，Ｌａ４５）と、を備え、前記第２延出面部（Ｊａ４，Ｌａ４）及び前記第４延出面部（Ｊｂ４５，Ｌａ４５）のそれぞれに前記通気孔（Ｊａ４ａ，Ｊｂ５ａ）が形成されている。
【手続補正４】
【補正対象書類名】明細書
【補正対象項目名】００１２
【補正方法】変更
【補正の内容】
【００１２】
このように、上部水切り材と下部水切り材とが別部材で構成されているため、状況に応じて、上部水切り材又は下部水切り材を用いないという使い方が可能となる。しかも、上部水切り材及び下部水切り材それぞれに通気孔が形成されているため、上部水切り材又は下部水切り材のどちらか一方を用いない箇所が建物の一部に生じる場合でも、他方に設けられた通気孔によって床下や壁内の通気を充分に行うことが可能であるため、通気が大きく妨げられることはない。さらに、水切り材を切断する等の加工の必要が生じた場合でも、上部水切り材と下部水切り材を分離した状態で取り扱うことができるため、加工が容易である。
【手続補正５】
【補正対象書類名】明細書
【補正対象項目名】００１３
【補正方法】変更
【補正の内容】
【００１３】
また、本発明において、前記第３当接面部（Ｊｂ１，Ｌｂ１）に前記下部水切り材を固定するための固定穴（釘穴Ｌｂ１ａ）が形成され、前記第２当接面部（Ｊａ５，Ｌａ５）に前記固定穴を室外側から覆うための固定穴被覆部（Ｌａ５ａ）を備えていると好適である。
このように、固定穴被覆部を備えることで建物の外観が良くなる。
【手続補正６】
【補正対象書類名】明細書
【補正対象項目名】００１４
【補正方法】変更
【補正の内容】
【００１４】
また、本発明において、前記上部水切り材及び前記下部水切り材に前記上部水切り材と前記下部水切り材を接合するための接合部（係合突条Ｌａ５ｂ，Ｌｂ２ａ、当接突条Ｌａ５ｃ、押え突条Ｌｂ１ｂ）が形成されていると好適である。
【手続補正７】
【補正対象書類名】明細書
【補正対象項目名】００１５
【補正方法】変更
【補正の内容】
【００１５】
このように、上部水切り材及び下部水切り材に接合部が形成されていることで、上部水切り材と下部水切り材を接合するための部材を別途必要とすることなく、上部水切り材と下部水切り材の接合を容易に行うことができ、上部水切り材及び下部水切り材から構成される２段式の水切り材の設置が簡便となる。
【手続補正８】
【補正対象書類名】明細書
【補正対象項目名】００１６
【補正方法】変更
【補正の内容】
【００１６】
また、本発明において、前記上部水切り材及び前記下部水切り材に前記上部水切り材と前記下部水切り材を接合するための接合部が形成され、該接合部は、前記第２当接面部（Ｌａ５）に形成された第１の係合部（係合突条Ｌａ５ｂ）と、前記下部水切り材に形成され前記第１の係合部に係合する第２の係合部（係合突条Ｌｂ２ａ）と、を備えて構成されていると好適である。
【手続補正９】
【補正対象書類名】明細書
【補正対象項目名】００１７
【補正方法】変更
【補正の内容】
【００１７】
この構成により、第１の係合部と第２の係合部を係合させることで、上部水切り材と下部水切り材の接合を容易に行うことができ、上部水切り材と下部水切り材が接合された２段式の水切り材の設置が簡便となる。
【手続補正１０】
【補正対象書類名】明細書
【補正対象項目名】００１８
【補正方法】変更
【補正の内容】
【００１８】
また、本発明において、前記上部水切り材及び前記下部水切り材に前記上部水切り材と前記下部水切り材を接合するための接合部が形成され、該接合部は、前記第２当接面部（Ｌａ５）に形成された当接突条（Ｌａ５ｃ）と、前記第３当接面部（Ｌｂ１）に形成され前記当接突条の上方に位置する押え突条（Ｌｂ１ｂ）と、を備えて構成されていると好適である。
このように、当接突条の上方に押え突条が位置することで、上部水切り材と下部水切り材の接合が解かれにくくなる。
【手続補正１１】
【補正対象書類名】明細書
【補正対象項目名】００１９
【補正方法】変更
【補正の内容】
【００１９】
また、上記課題は、本発明の水切り材の施工方法によれば、請求項１乃至請求項６のいずれか一項に記載の水切り材を基礎の上方に設置する水切り材の施工方法であって、基礎の上方に設置された縦胴縁に前記下部水切り材を固定する工程と、前記上部水切り材を前記下部水切り材と接合する工程と、を行うこと、により解決される。
【手続補正１２】
【補正対象書類名】明細書
【補正対象項目名】００２０
【補正方法】変更
【補正の内容】
【００２０】
このように、本発明の水切り材の施工方法によれば、上部水切り材と下部水切り材とを接合して、上部水切り材及び下部水切り材から構成される２段式の水切り材を布基礎の上方に設置することが可能となる。
【手続補正１３】
【補正対象書類名】明細書
【補正対象項目名】００２１
【補正方法】変更
【補正の内容】
【００２１】
また、上記課題は、本発明の水切り材の施工方法によれば、請求項５または請求項６に記載の水切り材を布基礎の上方に設置する水切り材の施工方法であって、前記布基礎の上方に設置された縦胴縁に前記下部水切り材を固定する工程と、前記上部水切り材を前記下部水切り材と接合する工程と、を行い、前記上部水切り材を前記下部水切り材と接合する工程では、前記上部水切り材に形成された第１の係合部（係合突条Ｌａ５ｂ）を前記下部水切り材に形成された第２の係合部（係合突条Ｌｂ２ａ）に係合させること、により解決される。
【手続補正１４】
【補正対象書類名】明細書
【補正対象項目名】００２３
【補正方法】変更
【補正の内容】
【００２３】
また、本発明において、前記上部水切り材を前記下部水切り材と接合する工程では、前記第２当接面部（Ｌａ５）に形成された当接突条（Ｌａ５ｃ）を、前記第３当接面部（Ｌｂ１）に形成された押え突条（Ｌｂ１ｂ）の下方に位置させると好適である。
【手続補正１５】
【補正対象書類名】明細書
【補正対象項目名】００２５
【補正方法】変更
【補正の内容】
【００２５】
また、本発明において、前記上部水切り材を前記下部水切り材と接合する工程では、前記下部水切り材を固定するために前記第３当接面部（Ｊｂ１，Ｌｂ１）に形成された固定穴（釘穴Ｌｂ１ａ）を、前記第２当接面部（Ｊａ５，Ｌａ５）に形成された固定穴被覆部（Ｌａ５ａ）で覆うと好適である。
【手続補正１６】
【補正対象書類名】明細書
【補正対象項目名】００２７
【補正方法】変更
【補正の内容】
【００２７】
また、本発明において、前記上部水切り材を前記下部水切り材と接合する工程の前に、前記第１当接面部（Ｊａ１，Ｌａ１）から前記第１見付け面部（Ｊａ３，Ｌａ３）に至るいずれかの部分で前記上部水切り材の一部を切断し、前記上部水切り材を前記下部水切り材と接合する工程では、切断した上部水切り材のうち前記第２延出面部（Ｊａ４，Ｌａ４）を含む部分を前記下部水切り材と接合すると好適である。
【手続補正１７】
【補正対象書類名】明細書
【補正対象項目名】００６１
【補正方法】変更
【補正の内容】
【００６１】
このようにして、水切り材Ｊを固定した後、上部水切り材Ｊａの第１当接面部Ｊａ１を外壁面材Ｋと縦胴縁Ｉに挟んだ状態で、外壁面材Ｋを縦胴縁Ｉに固定する。
これにより、本例の上部水切り材Ｊａは、上下端に設けられた第１当接面部Ｊａ１と第２当接面部Ｊａ５が縦胴縁Ｉの室外側面に沿って設置される。そして、第１当接面部Ｊａ１と第２当接面部Ｊａ５との間には、第１延出面部Ｊａ２，第１見付け面部Ｊａ３，第２延出面部Ｊａ４の３つの面によって室外側に突出する中間部が形成されており、この中間部の室内側には凹部空間が形成されている。そして、この凹部空間は、縦胴縁Ｉの間の空間Ｉ０（図１参照）に連通される。従って、第２延出面部Ｊａ４に形成された通気孔Ｊａ４ａは、この凹部空間を介して空間Ｉ０に連通される。
また、本例の下部水切り材Ｊｂには、上部水切り材Ｊａと同様に、第３当接面部Ｊｂ１が縦胴縁Ｉの室外側面に沿って設置される。そして、第３当接面部Ｊｂ１の下側には、縦胴縁Ｉの室外側面に沿って第３延出面部Ｊｂ２，第２見付け面部Ｊｂ３，第４延出面部Ｊｂ４５の３つの面によって室外側に突出する中間部が形成されており、この中間部の室内側には凹部空間が形成されている。そして、この凹部空間は、縦胴縁Ｉの間の空間Ｉ０や土台パッキンＢの間の空間Ｂ０（図１参照）に連通される。従って、第４延出面部Ｊｂ４５に形成された通気孔Ｊｂ５ａは、この凹部空間を介して空間Ｉ０，空間Ｂ０に連通される。